(57)【特許請求の範囲】
【請求項１】
ユニット形態の電飾具として構成されてパチンコ機内の遊技盤５３に設置される図柄表示装置５６に配備されて図柄表示条件に応じて異色発光制御される電飾装置Ａ1 において、
前記電飾装置Ａ1 は、前記図柄表示装置５６の本体前側に着脱可能に取着される枠形状の筐体１と、該筐体１の上端と下端に配設されたキャップ１２ａ，１２ｂと、前記筐体１の上端と上のキャップ１２ａの間及び筐体１の下端と下のキャップ１２ｂの間に配設された上側支持板６ａ及び下側支持板６ｂと、により装置本体が組立てられ、この装置本体内に互いに異色発光する前側の第１発光装置Ｂ1 と、後側の第２発光装置Ｂ2 が装備されており、
前記第１発光装置Ｂ1 は、前記上側支持板６ａと下側支持板６ｂの間の前側に起立状に支持された縦長半円筒形状の前面レンズ１１と、前面レンズ１１の後側で上側支持板６ａと下側支持板６ｂの間に起立状に支持されて互いに半円弧線上に沿った適宜間隔で配列され、上下方向の外周前側に光屈折現象発生用のＶ形状のカット溝４を所定ピッチ間隔で形成した複数本の光透過性の導光棒２と、前記上側支持板６ａと下側支持板６ｂに配置された上側基板８ａと下側基板８ｂに各々配置されて前記各導光棒２の上端と下端とに指向された複数個の第１発光体１０と、を備え、前記上下の各第１発光体１０の発光時に前記各導光棒２の上下の各端面に直接入射して各カット溝４で光の屈折現象を発生させるように拡散して前記前面レンズ１１を照明する構成であり、
前記第２発光装置Ｂ2 は、前記上側支持板６ａと下側支持板６ｂの間であって、しかも前記各導光棒２に対して前記前面レンズ１１と反対の後側に起立状に支持された拡散レンズ３と、前記筐体１の裏側に起立状に装着された背面基板９の前側上下部位に点在状に配置された複数個の前記第１発光体１０と異色の第２発光体２０と、を備え、前記第２発光体２０の発光時に前記拡散レンズ３を透して前記各導光棒２を軸方向に亘り照射して前記前面レンズ１１を照明するように構成したことを特徴とする遊技機の電飾装置。
【発明の詳細な説明】
【０００１】
【発明の属する技術分野】
本発明は、導光棒の外周面を発光させて、電飾効果を高めた遊技機の電飾装置に関するものである。
【０００２】
【従来の技術】
例えば、図１３に示されるように、異なる発光色の発光体７１（ＬＥＤ）を階段状に取付け、これらの発光体７１を同時に発光させて、その前方に配置されたレンズ７２を混色で発光させるという構成のものが存している。しかし、この電飾装置では、単色で発光させる場合に、発光していない発光体７１により、陰が生じてしまうという不具合がある。
【０００３】
また、図１４に示されるように、レンズ７２の周方向に沿って曲げた基板７３上に、異なる発光色の発光体７１を配置した場合、各発光体７１を同時に発光させると、その混色状態にムラが生じ、きれいな混色で発光させることは困難である。
【０００４】
【発明が解決しようとする課題】
本発明は、上記した不具合に鑑み、単色又は混色で、きれいに発光できる遊技機の電飾装置を提供することを課題としている。
【０００５】
【課題を解決するための手段】
上記課題を解決するための請求項１に記載の発明は、ユニット形態の電飾具として構成されてパチンコ機内の遊技盤に設置される図柄表示装置に配備されて図柄表示条件に応じて異色発光制御される電飾装置において、前記電飾装置は、前記図柄表示装置の本体前側に着脱可能に取着される枠形状の筐体と、該筐体の上端と下端に配設されたキャップと、前記筐体の上端と上のキャップの間及び筐体の下端と下のキャップの間に配設された上側支持板及び下側支持板とにより装置本体が組立てられ、この装置本体内に互いに異色発光する前側の第１発光装置と、後側の第２発光装置が装備されており、前記第１発光装置は、前記上側支持板と下側支持板の間の前側に起立状に支持された縦長半円筒形状の前面レンズと、前面レンズの後側で上側支持板と下側支持板の間に起立状に支持されて互いに半円弧線上に沿った適宜間隔で配列され、上下方向の外周前側に光屈折現象発生用のＶ形状のカット溝を所定ピッチ間隔で形成した複数本の光透過性の導光棒と、前記上側支持板と下側支持板に配置された上側基板と下側基板に各々配置されて前記各導光棒の上端と下端とに指向された複数個の第１発光体とを備え、前記上下の各第１発光体の発光時に前記各導光棒の上下の各端面に直接入射して各カット溝で光の屈折現象を発生させるように拡散して前記前面レンズを照明する構成であり、前記第２発光装置は、前記上側支持板と下側支持板の間であって、しかも前記各導光棒に対して前記前面レンズと反対の後側に起立状に支持された拡散レンズと、前記筐体の裏側に起立状に装着された背面基板の前側上下部位に点在状に配置された複数個の前記第１発光体と異色の第２発光体とを備え、前記第２発光体の発光時に前記拡散レンズを透して前記各導光棒を軸方向に亘り照射して前記前面レンズを照明するように構成したことを特徴としている。
【０００６】
請求項１の発明によれば、導光棒の周面は、前側の第１発光装置に配置された第１発光体により、屈折発光される。また、前記導光棒は、後側の第２発光装置に配置された第２発光体によっても発光される。このように、第１及び第２の各発光体により、導光棒を発光させることができ、遊技機の電飾効果を高めることができる。
【０００７】
また、前記第１発光体と前記第２発光体は、それぞれ異なった発光色で発光することにより、前記導光棒の周面は混色で発光される。
【０００８】
また、前記導光棒の上下方向の外周前側に光屈折現象発生用のＶ字状のカット溝が所定ピッチ間隔で形成されているので、前記導光棒の一端面に配置された第１発光体から発光され、前記導光棒の一端面に入射した光は、そのまま他端面に向けて直進する。この光が、前記導光棒の外周面に設けられた各カット溝に達すると、該光は、当該部分で屈折される。このため、遊技者には、各カット溝のみが発光しているように認識される。また、前記導光棒に対して前面レンズと反対側（後側）に配置された第２発光装置の第２発光体から、前記導光棒に向けて発光された光により、該導光棒が発光される。導光棒の各カット溝においては、前記第１発光体からの光と、前記第２発光体からの光との２種類の異色光が混色して発光される。このため、例えば、発光色を異にして混色発光させる場合には、同一平面部又はこれに近い状態で発光する２種類の光の混色発光に比較して、立体空間部において混色発光するために、前記２種類の異色光の存在が明瞭となって、混色発光の効果が高まる。
【０００９】
【００１０】
【００１１】
また、前記導光棒と前記第２発光体との間に、該第２発光体から発光される光を拡散させるための拡散レンズが配置されているため、第２発光体から発光された光は、拡散レンズによって拡散され、導光棒の全域に及ぶ。この結果、第２発光体の数が少なくても、前記導光棒の全体をほぼ均一に発光させることができ、その混色発光状態にムラが生じることはない。
【００１２】
【発明の実施の形態】
以下、実施形態を挙げて、本発明を更に詳細に説明する。本明細書では、遊技機の一例であるパチンコ機Ｐについて説明する。図１は本発明に係る電飾装置Ａ1 を備えたパチンコ機Ｐの正面図である。図１に示されるように、パチンコ機Ｐの前面枠５１は、基枠（図示せず）にヒンジ連結により開閉可能に取付けられていて、該前面枠５１にガラス枠５２が嵌め込まれている。そして、遊技盤５３には、レール５４が取付けられていて、遊技盤５３における前記レール５４で囲まれる部分が遊技領域５５となっている。
【００１３】
また、遊技領域５５の中央部には、液晶表示による図柄表示装置５６が配置されていて、該図柄表示装置５６の直下には、その作動を開始させるための始動入賞口５７が配置されている。更に、前記始動入賞口５７の直下には、前記図柄表示装置５６の複数の図柄が特定の組み合わせとなって「大当たり」となった場合に作動するアタッカー装置５８が配置されている。また、前記図柄表示装置５６の両側、及びその下端部の両側方には、それぞれ一般入賞口５９が配置され、前記図柄表示装置５６の下端部と、その側方に配置された前記一般入賞口５９との間には、それぞれ風車６１が配置されている。そして、前記パチンコ機Ｐの左側端部には、上下方向に沿ってカードユニットＵが取付けられている。このカードユニットＵには、カード挿入口６２や金額設定ボタン６３等が設けられている。なお、図１において６４，６５は、上下の各球受け皿であって、下球受け皿６５の側方には、発射ハンドル６６が取付けられている。
【００１４】
前記図柄表示装置５６の両側部には、第１実施形態の電飾装置Ａ1 が上下方向に沿ってそれぞれ配置されている。第１実施形態の電飾装置Ａ1 について説明する。図２は、本発明に係る電飾装置Ａ1 の全体斜視図、図３は同じく、分解斜視図、図４は同じく、側面断面図、図５は図４のＸ−Ｘ線断面図である。図２ないし図４に示されるように、この電飾装置Ａ1 は、主に、筐体１の前部（手前側）に配置された前側発光装置Ｂ1 と、同じく後部（背面側）に配置された後側発光装置Ｂ2 と、両者の間に配置された拡散レンズ３とから構成されている。
【００１５】
最初に、前側発光装置Ｂ1 について説明する。図３ないし図５に示されるように、この前側発光装置Ｂ1 は、複数本（本実施形態では、５本）の導光棒２と、それらの上方及び下方に配置された上下の各発光体ユニットＣa,Ｃb とから成る。本実施形態の各導光棒２は、平面視において円弧状に配置され、それらの軸心を上下方向に沿わせて取付けられている。各導光棒２の構成は同一であるため、いずれか１本についてのみ説明する。この導光棒２は、図６に示されるように、光透過性の優れたアクリル樹脂で製作され、全長に亘って太さが一定であって、その外周面（側面）に多数のカット溝４が一定ピッチをおいて設けられている。これらのカット溝４の断面は、いずれもＶ字状をしていて、導光棒２における上下の両端面２a,２b から、その中央部に向けて、その深さが徐々に深くなっている。換言すれば、多数のカット溝４の断面は、互いに相似形状になっていて、導光棒２の両端面２a,２b から、その中央部に向けて、徐々に相似大形となっている。そして、この導光棒２は、そのカット溝４が前面（遊技者の側）を向くように配置されている。なお、カット溝４を構成する各溝面５により構成される角度θは、導光棒２に透過された光が、前記カット溝４の部分において、全反射することなく、その一部が空気中に屈折される角度に定められている。
【００１６】
図３ないし図５に示されるように、前記各導光棒２の上方には、上側支持板６ａと上側発光体ユニットＣａが配置されていて、同じく、下方には、下側支持板６ｂと下側発光体ユニットＣｂが配置されている。ここで、導光棒２の上側に配置された部材には、符号に添字「ａ」を付し、下側に配置された部材には、同じ符号に添字「ｂ」を付して記載する。平面視において円弧状に配置された各導光棒２は、前部が半円状に形成された上下の各支持板６a,６b によって支持されている。即ち、各支持板６a,６b の前部には、周方向に沿って５個の挿通孔７a,７b が設けられている。各挿通孔７a,７b の内径は、導光棒２の外径よりも僅かに大きい。そして、各導光棒２の上下端部が、対応する各挿通孔７a,７b に挿通される。こうすることによって、各導光棒２は、上下の各支持板６a,６b により、周方向に配置された状態で保持される。
【００１７】
次に、上下の各発光体ユニットＣa,Ｃb について説明する。上下の各発光体ユニットＣa,Ｃb は、それらが配置されたときの向きが反対だけで、両者の構成は全く同一なので、以降、上側発光体ユニットＣａについてのみ説明する。上側発光体ユニットＣａを構成する上側基板８ａは、前述した上側支持板６ａの上面部に取付けられるもので、該上側支持板６ａよりも少し小さな略相似形状を呈している。そして、上側支持板６ａの各挿通孔７ａと対応する部分に、第１発光体１０を構成する５個のＬＥＤが取付けられている。本実施形態の上側発光体ユニットＣａでは、その前端部（中央部分）に赤色ＬＥＤ（Ｄred ）が下向きに取付けられている。そして、前記赤色ＬＥＤ（Ｄred ）の両側で、同一円周上において周方向に等間隔でもって、各黄色ＬＥＤ（Ｄyellow）と各青色ＬＥＤ（Ｄblue）が、それぞれ下向きに取付けられている。即ち、中央部の導光棒２の直上及び直下には、上下の各端面２a,２b と相対向して赤色ＬＥＤ（Ｄred ）が配置されていて、その両側の２本の導光棒２には、同様な形態で黄色ＬＥＤ（Ｄyellow）が配置されていて、両端部の２本の導光棒２には、同じく青色ＬＥＤ（Ｄblue）が配置されている。前記各ＬＥＤ（Ｄblue, Ｄred,Ｄyellow）を、各導光棒２に向けて発光させると、前記導光棒２のカット溝４の部分が、それぞれの色で発光される。
【００１８】
次に、図７を参照しながら、上記導光棒２の発光原理について説明する。導光棒２の上端面２ａから、該上端面２ａに対して垂直に入射した光線Ｌは、前記導光棒２の内部をそのまま直進して、下端面２ｂから空気中に出て行く。ここで、入射した光線Ｌのうち、前記カット溝４の部分を通過する光線Ｌは、その溝面５で屈折されて、空気中に出て行く。即ち、カット溝４を構成する一方の溝面５で屈折されて、空気中（カット溝４の部分）に出た光線Ｌは、他方の溝面５で反射されて、遊技者が認識可能な方向に進む。
【００１９】
ここで、多数のカット溝４は、導光棒２の端部から中央部に向けて、その深さが徐々に深くなるように形成されているので、相隣接するカット溝４の間には、その深さに関して、所定の差ｅが生じている。このため、導光棒２の上端面２ａに垂直に入射されて内部に入った光線Ｌは、全てのカット溝４の部分に達して、その溝面５において光の屈折現象を生ずる。即ち、導光棒２の上端面２ａに最も近いカット溝４に関しては、その溝面５の全面において、上記した光の屈折現象が生ずると共に、他のカット溝４においては、その溝面５における隣接する別のカット溝４との深さの差ｅに相当する部分（溝底部）においてのみ、上記した光の屈折現象が生ずる。これにより、全てのカット溝４の部分において、導光棒２内を透過する光線Ｌによる光の屈折現象が生じ、全てのカット溝４の部分の照度が、他の部分よりも高くなって、ほぼ均一な状態で点在的に発光する。この光の屈折現象は、導光棒２の下端面２ｂから入射した光線Ｌによっても生じる。本実施形態の電飾装置Ａ1 の場合、上下の各端面２a,２b から入射した２つの光線Ｌの相乗作用により、各カット溝４の部分は、より鮮明に発光される。なお、図７において、Ｌ’は、各カット溝４の溝面５で屈折されずに、導光棒２内で反射されて、その後に、屈折により、カット溝４以外の部分から外部（空気中）に出た光線を示す。
【００２０】
そして、導光棒２に設けられた各カット溝４の正面形状は、図６に示されるように、楕円形状であり、その大きさは、両端面から中央部に向けて徐々に大きくなっている。よって、多数のカット溝４のうち、導光棒２の長手方向における両端に設けられた２つのカット溝４は、その正面形状に近い楕円形状で発光すると共に、残りのカット溝４は、その溝底の部分が部分的に発光されるのみである。このため、残りのカット溝４の発光幅は、ほぼ一定しているが、その長さは、両端から中央部に向けて徐々に長くなった横長の長方形状となる。よって、前面（遊技者の側）から導光棒２の全体の発光状態を見ると、多数の発光部が上下方向に整列された状態で点在する。
【００２１】
次に、後側発光装置Ｂ2 について説明する。図３ないし図５に示されるように、前側発光装置Ｂ1 を構成する各導光棒２の背面側に、所定の距離をおいて、後側発光装置Ｂ2 が配置されている。この後側発光装置Ｂ2 を構成する背面基板９は、各導光棒２のほぼ全体を覆うことができる程度の大きさであり、その前面（各導光棒２と相対向する側）に、第２発光体２０を構成する多数（本実施形態では、１０個）の赤色ＬＥＤ（Ｄred ）が全域に亘って、しかも、隣接する赤色ＬＥＤ（Ｄred ）との距離が、ほぼ同程度になるようにして配置されている。そして、各赤色ＬＥＤ（Ｄred ）から発光された光は、各導光棒２の長手方向に対して、ほぼ直角に入射される。
【００２２】
また、各導光棒２と後側発光装置Ｂ2 との間には、拡散レンズ３が取付けられている。この拡散レンズ３は、前記後側発光装置Ｂ2 の背面基板９とほぼ同一の大きさであり、前記後側発光装置Ｂ2 を構成する第２発光体２０である各赤色ＬＥＤ（Ｄred ）から発光された光を拡散させて、各導光棒２の全体を発光させるという機能を有している。このため、後側発光装置Ｂ2 の各赤色ＬＥＤ（Ｄred ）から発光された光が、各導光棒２の全体に及び、各導光棒２の全体が、ほぼ同一の照度で、ムラなく発光される。そして、各導光棒２の前面には、各導光棒２の発光状態を、更にきれいに映し出すと共に、各導光棒２を保護するための前面レンズ１１が配置されている。なお、図３において、１２a,１２b は、前記前面レンズ１１を保持するための各キャップである。
【００２３】
図８ないし図１０を参照しながら、本発明に係る電飾装置Ａ1 の作用について説明する。最初に、上下の各発光体ユニットＣa,Ｃb を構成する第１発光体１０である各ＬＥＤ（Ｄblue, Ｄred,Ｄyellow）のうちの青色ＬＥＤ（Ｄblue）を単独で発光させた場合と、後側発光装置Ｂ2 を構成する第２発光体２０である各赤色ＬＥＤ（Ｄred ）を単独で発光させた場合について説明し、次に、これらを同時に発光させた場合について説明する。前述したように、上下の各発光体ユニットＣa,Ｃb を構成する第１発光体１０である青色ＬＥＤ（Ｄblue）から、導光棒２の上下の各端面２a,２b に向かって発光された青色光Ｌblueは、そのまま導光棒２の内部を直進する。そして、各カット溝４における一方側の溝面５で、屈折し、空気中（カット溝４の部分）に出た後、他方側の溝面５で反射される。
【００２４】
ここで、前記各カット溝４の深さは、導光棒２の端部から長手方向の中央部に向かって、徐々に深くなるようにして設けられている。このため、実際の発光源は、導光棒２の上下の端面２a,２b に設けられた各発光体ユニットＣa,Ｃb を構成する各第１発光体（ＬＥＤ）１０のみであるにもかかわらず、遊技者には、全てのカット溝４の部分が青色に発光しているように感じられる。また、各導光棒２に設けられた多数のカット溝４は、その両端から中央部に向けて徐々に深さを深くして、その両端面２a,２b に対向配置された２つの青色ＬＥＤ（Ｄblue）からの各青色光Ｌblueを入射しているので、各青色光Ｌblueの減衰によって、上下の各発光体ユニットＣa,Ｃb から大きく離れたカット溝４の部分の照度が低下するのを防止できて、直線状に並んだ状態で点在発光する多数の発光部の照度の差を少なくすることができる。また、各導光棒２は、その全長に亘って太さが均一なので、各カット溝４の形が相似形となって、発光部の形状もこれに対応して一定の規則性をもって変化する形状（前述したように、発光幅は一定であるが、その長さは、両端から中央部に向けて徐々に長くなった横長の長方形状）となり、きれいに発光される。
【００２５】
また、後側発光装置Ｂ2 のみを単独で発光させると、第２発光体２０を構成する各赤色ＬＥＤ（Ｄred ）から発光された赤色光Ｌred は、拡散レンズ３を透過する際に拡散される。各導光棒２は、光透過性に優れているため、拡散された赤色光Ｌ'redは、各導光棒２の全域に及ぶ。この結果、各導光棒２の全体が、ムラなく均一な状態で赤色に発光される。また、後側発光装置Ｂ2 の背面基板９に、各赤色ＬＥＤ（Ｄred ）が点在状態で取付けられていても、各導光棒２と後側発光装置Ｂ2 との間に所定の距離が設けられているため、それらの影が生じず、各導光棒２を、きれいな赤色で発光させることができる。これは、各導光棒２の全域を、きれいに発光させるという利点を損なうことなく、後側発光装置Ｂ2 を構成する赤色ＬＥＤ（Ｄred ）の数を少なくすることができることを意味している。
【００２６】
次に、前側発光装置Ｂ1 における上下の各青色ＬＥＤ（Ｄblue）と、後側発光装置Ｂ2 の各赤色ＬＥＤ（Ｄred ）を同時に発光させた場合について説明する。前述したように、上下の各青色ＬＥＤ（Ｄblue）を発光させることにより、対応する導光棒２のカット溝４の部分（溝底部）が、青色に発光される。また、後側発光装置Ｂ2 の各赤色ＬＥＤ（Ｄred ）を発光させることにより、各導光棒２の全域が赤色に発光される。この結果、前記導光棒２における各カット溝４の部分では、前記青色光Ｌblueと前記赤色光Ｌred とが干渉し、両者の混色、即ち、紫色で発光される。
【００２７】
ここで、上下の各発光体ユニットＣa,Ｃb は、電飾装置Ａ1 における手前側（遊技者に近い側）に配置されていて、後側発光装置Ｂ2 は、同じく奥側に大きく離れて配置されている。そして、前後の発光装置Ｂ1,Ｂ2 から発光された２種類の光は、各導光棒２における多数のカット溝４の部分で混色され、発光される。ここで、従来の電飾装置では、同一平面部又はこれに近い状態で発光している。それに比較すると、本発明に係る電飾装置Ａ1 では、各導光棒２の部分で混色発光する。換言すれば、電飾装置Ａ1 内の立体空間部において混色発光するため、２色の存在が明瞭となり、遊技者には、従来の電飾装置における平面的な発光状態と異なる「奥行感のある立体的な発光状態」が感じられる。しかも、第１発光装置Ｂ1 からの光の照射方向と、第２発光装置Ｂ2 からの光の照射方向は直交していて一方側の光によって、他方側の装置の影が生じることはない。このため、各導光棒２は、ムラのない、きれいな状態で発光される。このようにして、パチンコ機Ｐにおける電飾効果が、著しく高められる。
【００２８】
上記した第１実施形態の電飾装置Ａ1 は、５本の導光棒２を、周方向に沿って互いに平行配置させた場合である。こうすることにより、各導光棒２を順次、連続的に発光させたり、各導光棒２の発光色を異ならしめたりすることができる。即ち、各導光棒２の発光状態に、各種の変化を与えることができる。しかし、前記導光棒２は、１本であっても構わない。次に、第２実施形態の電飾装置Ａ2 について説明する。この電飾装置Ａ2 における第１実施形態の電飾装置Ａ1 との相違点は、導光棒２が１本であり、また、後側発光装置Ｂ2 を構成する発光体が、１個の青色ＬＥＤ（Ｄblue）であるということである。図１１及び図１２に示されるように、上下の支持板１３a,１３b の前部には、相対向するガイド溝１４a,１４b が、円弧状にして設けられている。各ガイド溝１４a,１４b の溝幅は、導光棒２の外径よりも僅かに大きい。そして、上下の各ガイド溝１４a,１４b に嵌め込まれた導光棒２は、上下の各支持板１３a,１３b に挟み込まれる形態で取付けられている。また、各ガイド溝１４a,１４b には、同一円周上において周方向に等間隔で、各投光孔１５a,１５b が設けられている。これらの投光孔１５a,１５b の部分には、第１実施形態の電飾装置Ａ1 と同様に、それぞれ赤色ＬＥＤ（Ｄred ）、黄色ＬＥＤ（Ｄyellow）、及び青色ＬＥＤ（Ｄblue）が取付けられている。
【００２９】
また、前記導光棒２の上端部には、背面側に向かってアーム１６が延設されている。該アーム１６の後端部には、第１歯車１７が固着されている。そして、前記第１歯車１７の支持軸１８は、軸受１９により回転可能に支承されている。また、前記第１歯車１７の側方には、駆動モータ２１が配設されていて、該第１歯車１７は、前記駆動モータ２１のモータ軸２１ａに装着された第２歯車２２と噛合されている。このため、前記駆動モータ２１を作動させると、前記導光棒２は、上下の各ガイド溝１４a,１４b にガイドされて、周方向に沿って移動される。そして、前記駆動モータ２１を制御することにより、前記導光棒２を各ガイド溝１４a,１４b の領域内で、往復移動させることもできる。
【００３０】
前記導光棒２の背面側には、ガイドレール２３が立設されていると共に、該ガイドレール２３の側方にねじ軸２４が立設されている。このねじ軸２４の上端部は、カップリング２５を介して駆動モータ２６に連結されている。そして、該ねじ軸２４には、ガイド体２７が螺合されていて、このガイド体２７は、ガイドレール２３にガイドされている。このため、前記駆動モータ２６のモータ軸２６ａを一定量だけ往復回転させると、ガイド体２７が上下に往復移動される。前記ガイド体２７の前端面には、青色ＬＥＤ（Ｄblue）が、前部に向かって、青色光を発光可能にして取付けられている。そして、移動中の導光棒２が、前記青色ＬＥＤ（Ｄblue）の直前に位置されたときに、該青色ＬＥＤ（Ｄblue）から発光された青色光が、前記導光棒２の長手方向に直角に入射される。
【００３１】
第２実施形態の電飾装置Ａ2 の作用について説明する。駆動モータ２１を作動させて、導光棒２を、円弧状に往復移動させる。また、駆動モータ２６を作動させて、青色ＬＥＤ（Ｄblue）を上下に往復移動させる。この状態で、上下の各ＬＥＤ（Ｄblue, Ｄred,Ｄyellow）と、後側の青色ＬＥＤ（Ｄblue）を発光させる。導光棒２が、各ＬＥＤ（Ｄblue, Ｄred,Ｄyellow）に対応する投光孔１５a,１５b の部分に位置されたとき、該導光棒２には、上下の各端面２a,２b から光が入射され、各カット溝４の部分が発光される。また、前記導光棒２が、後側の青色ＬＥＤ（Ｄblue）の直前の位置に移動されたとき（このとき、導光棒２には、その上下から赤色光Ｌred が発光される）、該青色ＬＥＤ（Ｄblue）からの青色光Ｌblueと、前記赤色光Ｌred とが干渉し、各カット溝４の部分が混色状態（紫色）で発光される。また、後側のガイド体２７を上下移動させることにより、導光棒２を全長に亘って発光させることができる。このようにして、導光棒２が１本であっても、第１実施形態の電飾装置Ａ1 と、ほぼ同一の効果が奏される。
【００３２】
上記した各実施形態における導光棒２は、透明なアクリル樹脂より成り、その長手方向に多数のカット溝４が設けられている。しかし、これ以外のものであっても構わない。例えば、カット溝４が設けられていない単なる棒体で、自身が線発光されるものであってもよい。この場合、前記棒体が、帯状となって発光される。
【００３３】
また、導光棒２の材質に関しては、光透過性を有すれば、いかなる材質であってもよく、上記アクリル樹脂の他に、ポリカーボネイト樹脂、ガラスなどが挙げられると共に、導光棒２に多数のカット溝４を形成する方法に関しても、切削加工による方法、導光棒の成形時にカット溝４も同時に成形する方法などがあって、容易に成形可能である。
【００３４】
また、導光棒２に設けられる多数のカット溝４の形状に関しても、上記した各実施形態のように、断面Ｖ字状の場合に限定されず、開口に向けて幅が徐々に広くなった断面が変則Ｕ字状のものであってもよい。更に、各導光棒２に形成される多数のカット溝４の深さは、その一端面から他端面に向けて、徐々に深くした形態であっても構わない。
【００３５】
上記した各実施形態における発光源は、いずれもＬＥＤである。このため、輝度の調整が容易であり、その寿命が長いという利点がある。しかし、豆球であっても構わない。この場合、安価であるという利点がある。更に、それ以外のもの、例えば、冷陰極管（蛍光管）であっても構わない。この場合、拡散レンズ３を使用しなくても、各導光棒２の全体を発光させることができるという利点がある。
【００３６】
上記したように、本発明に係る電飾装置Ａ1,Ａ2 は、従来の電飾装置と比べて、その電飾効果が優れていて、通常の電飾装置（例えば、島設備の電飾装置）として使用する以外に、大当たりの予告や、大当たり中の状態を演出するものとしても使用できる。このため、その設置場所は、遊技者に最も効果的に見せることのできる位置、即ち、図柄表示装置５６（図１参照）の両側方に取付けることが望ましい。
【００３７】
【００３８】
【発明の効果】
本発明に係る遊技機の電飾装置は、半円弧線上に沿って所定間隔をおいて配置された複数本の導光棒の少なくとも一端面に第１発光体が配置され、前記導光棒内を透過する光を、その周面で屈折発光させる第１発光装置と、当該第１発光装置の後側に配置されて、前記各導光棒に向けて発光する前記第１発光体とは異色の第２発光体が取付けられた第２発光装置とから成り、互いに異色の第１及び第２の各発光体により、導光棒を混色発光させることができ、遊技機の電飾効果を高めることができる。
【図面の簡単な説明】
【図１】  本発明に係る電飾装置Ａ1 を備えたパチンコ機Ｐの正面図である。
【図２】  本発明に係る電飾装置Ａ1 の全体斜視図である。
【図３】  同じく、分解斜視図である。
【図４】  同じく、側面断面図である。
【図５】  図４のＸ−Ｘ線断面図である。
【図６】  （イ），（ロ）は、それぞれ前側発光装置Ｂ1 の右側面図、及び正面図である。
【図７】  導光棒２のカット溝４の部分における光線Ｌの屈折を主体に示す模式的縦断面図である。
【図８】  導光棒２において、青色光Ｌblueと赤色光Ｌred が干渉して、混色発光する状態の作用説明図である。
【図９】  図８の状態の側面図である。
【図１０】  同じく平面図である。
【図１１】  第２実施形態の電飾装置Ａ2 の概略側面図である。
【図１２】  図１１のＹ−Ｙ線断面図である。
【図１３】  従来の電飾装置の平面断面図である。
【図１４】  同じく、別の電飾装置の平面断面図である。
【符号の説明】
Ａ1,Ａ2 ：電飾装置
Ｂ1 ：前側発光装置（第１発光装置）
Ｂ2 ：後側発光装置（第２発光装置）
Ｃａ：上側発光体ユニット
Ｃｂ：下側発光体ユニット
Ｄblue：青色ＬＥＤ（発光体）
Ｄred ：赤色ＬＥＤ（発光体）
Ｄyellow：黄色ＬＥＤ（発光体）
Ｌblue：青色光
Ｌred ：赤色光
Ｐ：パチンコ機（遊技機）
２：導光棒
３：拡散レンズ
４：カット溝
１０：第１発光体
２０：第２発光体
【図１】
0004161109.tif 000002
【図２】
0004161109.tif 000003
【図３】
0004161109.tif 000004
【図４】
0004161109.tif 000005
【図５】
0004161109.tif 000006
【図６】
0004161109.tif 000007
【図７】
0004161109.tif 000008
【図８】
0004161109.tif 000009
【図９】
0004161109.tif 000010
【図１０】
0004161109.tif 000011
【図１１】
0004161109.tif 000012
【図１２】
0004161109.tif 000013
【図１３】
0004161109.tif 000014
【図１４】
0004161109.tif 000015